(57)【要約】    【課題】桁や梁等のように、エクステリア構築物どうしまたはエクステリア構築物と家屋とを連結する比較的荷重の大きな部材を、フレームを覆う板材の除去加工を行なうことなく取付け可能で、比較的軽量の部材は板材に直付け可能であり、このため施工が容易でかつ設計の自由度が上がり、変化に富んだ外観を得ることができるエクステリア構築物を提供する。    【解決手段】アルミニウム合金製押出形材により組まれたフレーム３の周囲を、前記フレーム３に固定する木質系セメント板４、５により覆うてエクステリア構築物を構成する。木質系セメント板４、５はこれを貫通してフレーム３に到達するドリリングタッピンねじにより、取付金具が取付け可能でこの取付金具で比較的荷重のある桁や梁が連結できる。比較的軽いものは、木質系セメント板４、５に直付けできる。【選択図】図１
2005299244.tif 000002
【特許請求の範囲】
【請求項１】
家屋の周囲に設置されるエクステリア構築物であって、
アルミニウム合金製押出形材により組まれたフレームの周囲を、前記フレームに固定する木質系セメント板により覆ってなることを特徴とするエクステリア構築物。
【請求項２】
請求項１に記載のエクステリア構築物において、
前記エクステリア構築物どうしまたはエクステリア構築物と家屋とを連結する連結部材を固定する取付金具を、前記木質系セメント板の表面に当て、かつドリリングタッピンねじにより前記木質系セメント板および前記フレームに螺入して固定したことを特徴とするエクステリア構築物。
【請求項３】
請求項１または２に記載のエクステリア構築物において、
エクステリア構築物どうしを連結する部材を、アルミニウム合金製押出形材と、その表面を覆う木質系セメント板とにより構成したことを特徴とするエクステリア構築物。
【請求項４】
請求項１から３までのいずれかに記載のエクステリア構築物において、
複数のエクステリア構築物を備えると共に、隣接するエクステリア構築物の間を介装部材により覆ったことを特徴とするエクステリア構築物。
【発明の詳細な説明】
【技術分野】
【０００１】
本発明は、塀、門柱等のように、家屋の周囲に設置されるエクステリア構築物に係り、特に乾式に施工されるものに関する。
【背景技術】
【０００２】
家屋の周囲に設置する塀や門柱として、従来は一般的にコンクリートブロックを積み上げたものや、型枠に生コンクリートを充填、固化させて構築される湿式のものがある。
【０００３】
従来の塀や門柱の他の例として、特許文献１、２に記載のように、乾式に施工されるものがある。特許文献１に記載のものは、発泡材でなるプレートの表裏面に窯業系タイルを張設したタイル張設ユニットを用い、そのユニットをアルミニウム合金製押出形材で組まれた枠内に積み上げて構成し、枠を窯業系枠体により覆ったものである。また、発泡材を用いたものとしては、発泡材でなるプレートで枠全体を覆ったものもある。
【０００４】
特許文献２に記載のものは、アルミニウム合金製押出形材によりなる縦横の枠材を方形に組み、その表面をガラス繊維混入のセメント板にからなる下地パネルにより覆い、その上に窯業系タイルを多数張設したものである。
【０００５】
【特許文献１】特開平５−３２１４３７号公報
【特許文献２】特開平６−１３７０５１号公報
【発明の開示】
【発明が解決しようとする課題】
【０００６】
前記湿式に施工されるもののうち、生コンクリートを固化させる構造のものは、配筋、型枠組立、生コンクリート充填、固化、型枠外し、養生等多数の工程を要すると共に長い工期がかかるという問題点がある。コンクリートブロックを積み上げて構築するものも同様に工程、工期がかかるという問題点がある。
【０００７】
また、この湿式に構築するものは、家屋と塀等の間に屋根を取付けるための梁等を取付けることができず、屋根を構築するには新たに塀の近傍に支柱を建てて屋根支持用の梁をその支柱に支持させる必要がある。また、自由な設計が比較的困難であり、装飾物の取付け等も困難であって、さらに比較的単調であって、変化に富んだ配置、構造、外観のエクステリアの構築が難しく、住宅との調和が困難であるという問題点がある。
【０００８】
また、特許文献１、２に記載のように、表面をタイルや窯業系枠体で覆ったもの、あるいは発泡パネルで覆ったものは、工程、工期の短縮の利点は得られる。しかし、これらの塀は、個々の塀を独立して設置することを前提にして製造されているため、家屋と塀または門柱との間に屋根を構築するために梁を塀や門柱に接続したり、複数の塀間を梁や押出形材で接続するには、接続箇所において、表面を覆っているタイルや発泡材等を除去する加工を行ない、その箇所に取付金具を固定しておき、その取付金具に梁を接続して取付けなければならず、施工に手間がかかるという問題点がある。
【０００９】
また、比較的荷重の小さなもの、例えば表札、装飾物、インターホン、ポスト等をねじ等の固定具を用いて取付けようとすると、発泡材では荷重に耐えられず、タイルではネジを貫入できないので、発泡材やタイルを除去する加工を行なう必要があり、取付け作業に手間がかかるという問題点があり、予め工場等で加工しておかなければならなかった。
【００１０】
また、前述のように梁等の他の部材の接続や表面への他の軽量部材の取付けが困難であることから、家屋の周囲において、設計の自由度に富み、変化に富んだ種々の外観の塀または門あるいはこれらの集合体でなるエクステリア、もしくはこれらと屋根との組み合わせでなるエクステリアを構築することが困難であるという問題点があり、単独使用による設置であった。
【００１１】
また、前記ガラス繊維を混入したセメント板は成形性、押出成形性はよいが、その厚み等により、ドリリングタッピンねじの現場における任意の位置への螺入が困難となり、タイルの場合と同様に比較的荷重の小さな前記表札等の正確な位置への取付けが困難であり、また、鋸による切断が極めて難しく、専用の工具が必要であるため、現場における加工が困難で融通性に富む施工が困難であるという問題点がある。
【００１２】
本発明は、上記した事情に鑑み、桁や梁等のように、エクステリア構築物どうしまたはエクステリア構築物と家屋とを連結する比較的荷重の大きな部材を、フレームを覆う板材の除去加工を行なうことなく取付け可能で、比較的軽量の部材は板材に直付け可能であり、このため施工が容易でかつ設計の自由度が上がり、変化に富んだ外観を得ることができるエクステリア構築物を提供することを目的とする。
【課題を解決するための手段】
【００１３】
（１）本発明のエクステリア構築物は、家屋の周囲に設置されるエクステリア構築物であって、
アルミニウム合金製押出形材により組まれたフレームの周囲を、前記フレームに固定する木質系セメント板により覆ってなることを特徴とする。
【００１４】
（２）また、本発明のエクステリア構築物は、前記（１）において、
前記エクステリア構築物どうしまたはエクステリア構築物と家屋とを連結する連結部材を固定する取付金具を、前記木質系セメント板の表面に当て、かつドリリングタッピンねじにより前記木質系セメント板および前記フレームに螺入して固定したことを特徴とする。
【００１５】
（３）また、本発明のエクステリア構築物は、前記（１）または（２）において、
エクステリア構築物どうしを連結する部材を、アルミニウム合金製押出形材と、その表面を覆う木質系セメント板とにより構成したことを特徴とする。
【００１６】
（４）また、本発明のエクステリア構築物は、前記（１）から（３）までのいずれかにおいて、
複数のエクステリア構築物を備えると共に、隣接するエクステリア構築物の間を介装部材により覆ったことを特徴とする。
【発明の効果】
【００１７】
本発明のエクステリア構築物は、アルミニウム合金製押出形材を用いて組んだフレームを、木質系セメント板で覆ったものであり、木質系セメント板は、ドリリングタッピンねじの螺入が可能であり、このドリリングタッピンねじを用いて、そのねじを押出形材までねじ込まなくても比較的軽量の例えば表札、装飾物、インターホン、ポスト等を直接取付け、支持しておくことが可能である。
【００１８】
一方、比較的大きな荷重を担う桁や梁等の連結部材を連結する場合は、取付金具を前記木質系セメント板の表面に当て、かつドリリングタッピンねじを前記木質系セメント板から前記フレームに螺入して固定することができる。そして、その取付金具に桁や梁等を連結することにより、塀や門柱を構成するエクステリア構築物どうしの連結あるいはエクステリア構築物と屋根とを桁や梁で連結し、荷重をエクステリア構築物で受けることができる。
【００１９】
このように、本発明のエクステリア構築物は、木質系セメント板の除去加工しなくても取付金具の取付けが可能である上、木質系セメント板に比較的軽量の部材の取付けが可能であるから、現地施工が少なく、施工が容易かつ短期に行なえ、設計の自由度が上がり、変化に富んだエクステリア構築物やその集合体あるいはエクステリア構築物と家屋との間に屋根を構築することもできる。
【００２０】
また、エクステリア構築物自体で桁や梁等を支持することができるため、エクステリア構築物以外に支柱を設ける必要がなく、施工費用が軽減でき、敷地の利用効率も向上する。また、木質系セメント板は鋸による切断が可能であるから、現場の状況に応じて必要部所の切断も可能であり、融通性のある施工が可能である。
【００２１】
本発明において、エクステリア構築物どうしまたはエクステリア構築物と家屋とを接続する桁や梁等を、アルミニウム合金製押出形材と、その表面を覆う木質系セメント板とにより構成すれば、外観が統一したエクステリアを構築することができる。
【００２２】
また、本発明において、複数のエクステリア構築物を備えると共に、隣接するエクステリア構築物の間を介装部材により覆った構造とすれば、介装部材をエクステリア構築物との相互の組み合わせにより，種々の外観を持つ変化に富んだものを構築することができる。
【００２３】
なお、本発明において、前記木質系セメント板はこれを外装材として用いるのみならず、木質系セメント板の表面に表面材を下地層を介してあるいは介さずに塗布あるいは張設してもよい。
【発明を実施するための最良の形態】
【００２４】
図１は本発明のエクステリア構築物の一実施の形態を示す分解斜視図、図２はその組立後の状態を示す斜視図である。このエクステリア構築物は塀や門柱等として構成されるものである。このエクステリア構築物は、アルミニウム合金製押出形材でなる左右の縦桟１およびその間に架設される横桟２とによりフレーム３を構成する。縦桟１の下部には、コンクリート基盤のアンカー（いずれも図示せず）にボルト、ナットにより固定するための穴１ａを有する。
【００２５】
前記フレーム３の表裏面および側面に、それぞれ木質系セメント板４、５をドリリングタッピンねじ６により固定して覆う構造を有する。７は前記フレーム３の頂部にドリリングタッピンねじ６により取付けるカバーであり、このカバーはアルミニウム合金製または合成樹脂製押出型材でなる。
【００２６】
前記木質系セメント板には、木毛セメント板と木片セメント板とがある。木毛セメント板は木材をリボン状に切削し、この切削したものをセメントと混練し、圧縮成型したボードで、製品の密度により普通木毛セメント板（比重０．４以上、０．７未満）と高圧木毛セメント板（比重０．７以上）とに分類される。一方、木片セメント板とは比較的短い木片とセメントとを混練し、圧縮成型したボードで、製品の密度により普通木片セメント板と硬質木片セメント板とに分類される。
【００２７】
木質系セメント板は、間伐材等も有効に利用できるので、省資源化に益し、断熱性、防火性（準難燃性）、安全性（有害物質を含まない。）、防音性、軽量かつ強靭（曲げ強度１．０〜３．５N／ｍｍ２）等の優れた特徴を有する。また、ガラス繊維混合のセメント板は鋸による切断や釘、ねじ等の取付けが困難であるが、木質系セメント板は鋸による切断や、釘、ねじ等の取付けが可能であり、加工性が良好である。本発明においては、高圧木毛セメント板あるいは硬質木片セメント板（比重が０．７〜１．０程度）を用いることが、比較的軽量なものを釘やねじによって固定し支持する役目を果たす意味において好ましい。なお、この木質系セメント板は、木繊セメント板と称する場合もある。
【００２８】
図３（Ａ）、（Ｂ）はそれぞれ前記縦桟１の構造を示す正面図、平面図であり、縦桟１の対向面には平行に横桟２を取付けるための取付片１ｂ、１ｃを突設している。
【００２９】
図４（Ａ）、（Ｂ）はそれぞれ前記フレーム３を構成する横桟２を示す正面図、側面図であり、この実施の形態の横桟２はほぼコ字形の断面形状を有し、コ字形の一方の開口縁には前記縦桟１に取付けるための取付片２ａを有する。そしてこの取付片２ａに設けた孔２ｂを前記縦桟１の取付片１ｂ、１ｃに設けた孔１ｄに合わせてドリリングタッピンねじ８またはボルトとナットにより結合して組み立てられる。ただし、本実施の形態においては、裏側（家屋側）の最上部の横桟２Ａは、図５（Ａ）の正面図および図５（Ｂ）の側面図に示すように広幅に形成し、その上下に取付片２ｃ、２ｄを形成し、前記縦桟１の取付片１ｃに対してドリリングタッピンねじ６あるいはボルト、ナットにより固定される。
【００３０】
図６は本発明によるエクステリア構築物の他の実施の形態であり、この実施の形態においては、図６（Ａ）の正面図に示すように、前記フレーム３の一部に窓を構成するための窓枠９を、新たに設けた窓用縦桟８および横桟２により構成したものである。この実施の形態においては、図６（Ｂ）の正面図に示すように、このフレーム３に張設する木質系セメント板４には、前記窓枠９に対応する部分に開口部４ａを設けたものを用いる。
【００３１】
図７（Ａ）、（Ｂ）はそれぞれ塀を構成する本実施の形態の複数のエクステリア構築物により構築されるエクステリアの一例を示す正面図および平面図である。図８は図７（Ａ）のＥ-Ｅ断面図である。図７、図８において、１０はエクステリア構築物であり、１１は隣接するエクステリア構築物１０、１０間を結合する桁を示す。図７において、ＧＬは地面を示す。
【００３２】
図９（Ａ）、（Ｂ）はそれぞれ前記桁１１の一端を連結するための取付金具１２を示す端面図、正面図であり、この例の取付金具１２はアルミニウム合金製押出型材を短く切断したもので、ドリリングタッピンねじを挿着するためのタッピング孔１２ａを有する。
【００３３】
１３は前記桁本体であり、図１０（Ａ）、（Ｂ）、（Ｃ）はそれぞれその端面図、正面図、底面図である。この桁本体１３はアルミニウム合金製押出型材からなり、ほぼエクステリア構築物１０，１０間の間隔に等しい長さを有する。この桁本体１３はほぼＵ字形の断面構造を有し、その両端をそれぞれエクステリア構築物１０の側面に固定される取付金具１２に下方から嵌めるもので、上端部に前記取付金具１２の両側面の凹部１２ｂに嵌める係止部１３ａを有する。
【００３４】
１４は前記桁１１の笠木であり、図１１（Ａ）、（Ｂ）はそれぞれにその端面図、正面図である。この笠木１４はアルミニウム合金製押出型材からなり、ほぼエクステリア構築物１０、１０間の間隔に等しい長さを有する。この笠木１４は下部に前記取付金具１２および桁本体１３の上部に嵌合する嵌合部１４ａを有する。
【００３５】
この桁１１を取付ける場合は、図９（Ｂ）に示すように隣接させて施工されているエクステリア構築物１０、１０の側面の木質系セメント板５上に取付金具１２を当て、ドリリングタッピンねじ１５を取付金具１２のタッピング孔１２ａに通し、木質系セメント板５に螺入しさらに縦桟１の側面に螺入して固定する。次に、図８に示すように予め工場においてドリリングタッピンねじ１７により下面に木質系セメント板１９を張設しておいた桁本体１３の両端をそれぞれ下方から１３ａを取付金具１２、１２に弾発的に押し嵌めて、桁本体１３の係止部１３ａを取付金具１２の側面の凹部１２ｂに嵌合させて仮固定する。その後、ドリリングタッピンねじ２０によりこの桁本体１３を取付金具１２に本固定する。
【００３６】
次に笠木１４の両端の嵌合部１４ａをそれぞれのエクステリア構築物１０、１０に取付けてある取付金具１２、１２の上部および桁本体１３の上部に嵌合した後、ドリリングタッピンねじ２１により取付金具１２および桁本体１３に本固定する。その後、側面の木質系セメント板２２を前記桁本体１３と笠木１４にドリリングタッピンねじ２３により固定する。
【００３７】
このように、桁１１にも木質系セメント板４、５と同じ木質系セメント板１９、２２を表面材として用いると、通常のコンクリート施工のエクステリア構築物と同様のエクステリアが短時間で施工できる。勿論木質系セメント板４、５、１９、２２に別の下地材、表面材を塗布あるいは張設して別の外観のものを得るようにしてもよい。
また、このこの実施の形態においては、図１０（Ｃ）に示すように、前記桁本体１３の下面に開口部１３ｂを設けるとともに、この開口部１３ｂに対応する木質系セメント板１９（図７参照）の中央部にも開口部１９ａを設け、前記桁１１内に照明灯２５を収容し、照明灯２５からの光が前記開口部１３ｂ、１９ａを通して下方を照明するようにしている。このような構造を採用すれば、桁１１が照明灯２５の保護体として作用し、照明灯２５の延命化が図れると共に、照明灯２５が桁１１に隠されるために、外観が向上する。
【００３８】
図１２は本発明の他の実施の形態であり、塀を構成するエクステリア構築物１０、１０の間をアルミニウム合金製押出型材からなるスクリーンを介装部材２６として設けたものである。この介装部材２６は前記縦桟１にドリリングタッピンねじを用いて直接固定するか、あるいは縦桟１の側面に固定する取付金具にドリリングタッピンねじにより固定して取付ける。なお、介装部材２６としては格子状、プレート状等、種々の材質、構造、模様のものを用いることができる。
【００３９】
図１３、図１４、図１５はそれぞれ本発明によるエクステリア構築物の他の実施の形態を示す斜視図、側面図、平面図であり、図１３〜図１５において、３０は家屋、３１はエクステリア構築物１０と家屋３０との間に架設した梁、３３は屋根であり、この屋根３３は後端を家屋３０の躯体に固定し、前枠３４を梁３１の上に取付金具３５により固定して取付けられる。
【００４０】
前記梁３１は図１６（Ａ）の端面図と図１６（Ｂ）の平面図に示すように前記取付金具３５に固定するために前端の上面を切除して開口（３１ａ）し、上面には屋根３３の前枠３４を接続するための取付金具３６をスライド嵌合し、内部にナット板（図示せず）を収容するための溝３１ｂを有する。
【００４１】
図１７（Ａ）、（Ｂ）はそれぞれ前記取付金具３５の端面図、側面図であり、この取付金具はアルミニウム合金製押出型材を短く切断したものであり、フレーム３の縦桟１あるいは前記広幅の横桟２Ａにドリリングタッピンねじにより固定するためのタッピング孔３５ａを有する。
【００４２】
前記梁３１のうち、屋根３３を支持するものは少なくとも２本あればよいが、この屋根３３を支持する梁３１の後端（家屋側）は、柱３２等荷重を受けることができる躯体に取付金具３７を介して固定する。また、梁３１の前端は、図１８に示すように、前記開口部３１ａを、エクステリア構築物１０に固定されている取付金具３５に下から嵌め、ドリリングタッピンねじ３９を梁３１の側面に設けた孔３１ｃから挿入して取付金具３５に螺入することにより、取付金具３５に固定する。屋根３３の前枠３４は、梁３１の上面に取付金具３６を介して固定する。
【００４３】
なお、本実施の形態においては、梁３１の前端をエクステリア構築物１０に固定しているが、前記桁１１に固定することも可能である。
【００４４】
図１９は本発明によるエクステリア構築物の他の実施の形態を示す斜視図、図２０はその平面図、図２１は図２０のＦ−Ｆ断面図である。この実施の形態では、エクステリア構築物１０、１０間を連結する桁４０の構成が前記実施の形態と相違している。この桁４０は、前記梁３１の取付金具３５と同じ断面構造の取付金具４１、４２と、梁３１と同じ断面構造の桁素体４３、４４と、両者間に介在させる上下対称の断面構造を有する位置決め枠４５とからなり、取付金具４１、４２および桁素体４３、４４は上下逆にして位置決め枠４５を介して積み上げ構築される。
【００４５】
すなわち、エクステリア構築物１０の対向する側面にそれぞれ下方の取付金具４１を固定し、これに桁素体４３の両端の上面の開口部（梁３１の開口部３１ａと同様）を下から嵌合してドリリングタッピンねじ４６により固定した後、前記位置決め枠４５の外側嵌合部４５ａを取付金具４１の上面部に嵌めると共に、内側の嵌合部４５ｂを桁素体４３の溝４３ａに嵌めて固定し、この状態で上側の取付金具４２の下面部に位置決め枠４５の外側嵌合部４５ｃを嵌めてこの取付金具４２を位置決めした状態でそれぞれ対向するエクステリア構築物１０の側面にドリリングタッピンねじにより固定し、上方から桁素体４４の両端の開口部を取付金具４２に嵌めると同時に溝４４ａを位置決め枠４５の内側嵌合部４５ｄに嵌め、ドリリングタッピンねじ４７により取付金具４２に固定する。このように、上下の取付金具４１，４２および桁素体４３，４４に同じ素材を用いることにより、構成部材の種類の減少と施工の容易化を図っている。
【００４６】
図２２は前記屋根３３の前枠３４の固定構造の他の例であり、この例ではＬ字形の取付金具４９を前記エクステリア構築物１０の背面にドリリングタッピンねじ５０により直付けし、前枠３４に設けたナット板装着溝３４ａにナット板５１を嵌めて取付金具４９上に載せ、取付金具４９の孔４９ａに挿通したねじ部品５２（ボルトまたはねじ）を前記ナット板５１のねじ孔に螺合して固定したものである。この構造によれば、前記梁３１を要することなくテラスやカーポート等を構築することができる。
【００４７】
図２３は前記木質系セメント板４、５のみにねじ込むドリリングタッピンねじ５４により比較的軽量の部材５３（表札、装飾物、インターホン、ポスト等）を取付けた状態を示す。このように、木質系セメント板４、５を用いれば、比較的軽量のものを木質系セメント板４、５に螺入するドリリングタッピンねじだけで支持することができる。
【００４８】
以上に説明したように、本実施の形態のエクステリア構築物は、アルミニウム合金製押出形材を用いて組んだフレーム３を、木質系セメント板４、５で覆ったものであり、木質系セメント板４、５は、ドリリングタッピンねじを用いて、そのねじを押出形材までねじ込まなくても比較的軽量の例えば表札、装飾物、インターホン、ポスト等を取付けることが可能である。一方、比較的大きな荷重を担う桁１１や梁３１等を接続する場合は、取付金具１２、３５を前記木質系セメント板４、５（あるいは桁１１の木質系セメント板２２）の表面に当て、かつドリリングタッピンねじにより前記木質系セメント板４、５、２２および前記フレーム３等に螺入して固定することができる。そして、その取付金具１２、３５に桁１１、梁３１等を接続することにより、塀や門柱を構成するエクステリア構築物どうしの接続あるいはエクステリア構築物と屋根とを桁１１や梁３１等で連結し、荷重をエクステリア構築物で受けることができる。
【００４９】
このように、本実施の形態のエクステリア構築物は、フレームを覆うパネルやタイルなどの外装材の除去加工しなくても取付金具の取付けが可能である上、外装材である木質系セメント板４、５、２２に比較的軽量の部材の取付けが可能であるから、現地施工が容易かつ短期に行なえ、設計の自由度が上がり、変化に富んだエクステリア構築物やその集合体あるいはエクステリア構築物と家屋との間の屋根を構築することができる。また、この木質系セメント板の表面に他の表面材を1層以上張設あるいは塗工することも可能であり、これによってさらに変化に富んだエクステリアの構築が可能となる。例えばこの木質系セメント板を下地材とし、その上に下地調整材、仕上材を塗ることも可能である。また、複数の木質系セメント板により表面あるいは裏面もしくは側面を構成し、木質系セメント板の間の目地の部分にメッシュテープを張り、下地調整材、仕上材を塗ることも可能である。
【００５０】
また、エクステリア構築物自体で梁等を支持することができるため、エクステリア構築物以外に支柱を設ける必要がなく、施工費用が軽減でき、敷地の利用効率も向上する。
【００５１】
また、前述したように、エクステリア構築物どうしまたはエクステリア構築物と家屋とを接続する桁１１等を、アルミニウム合金製押出形材でなる桁本体１３、および笠木１４等と、その表面を覆う木質系セメント板１９、２２とにより構成すれば、外観が統一したエクステリア構築物の集合体や家屋との組み合わせ構築物を構成することができる。
【００５２】
また、本発明において、複数のエクステリア構築物を備えると共に、隣接するエクステリア構築物の間をスクリーン等の介装部材により覆った構造とすれば、介装部材をエクステリア構築物との相互の組み合わせにより，種々の外観を持つ変化に富んだものを構成することができる。
【図面の簡単な説明】
【００５３】
【図１】本発明のエクステリア構築物の一実施の形態を示す分解斜視図である。
【図２】図１のエクステリア構築物の組み立て後の状態を示す斜視図である。
【図３】（Ａ）、（Ｂ）はそれぞれ本実施の形態の縦桟の正面図、平面図である。
【図４】（Ａ）、（Ｂ）はそれぞれ本実施の形態の横桟の正面図、側面図である。
【図５】（Ａ）、（Ｂ）はそれぞれ本実施の形態の梁を連結する横桟の正面図、側面図である。
【図６】（Ａ）、（Ｂ）はそれぞれ本発明によるエクステリア構築物の他の実施の形態のフレームおよび木質系セメント板を示す正面図である。
【図７】（Ａ）、（Ｂ）はそれぞれ本発明によるエクステリア構築物の他の実施の形態を示す正面図、平面図である。
【図８】図７のＥ−Ｅ断面図である。
【図９】（Ａ）は図８の構造を実現する取付金具の端面図、（Ｂ）はそのエクステリア構築物への取付け状態を示す側面図である。
【図１０】（Ａ）、（Ｂ）、（Ｃ）はそれぞれ図８の構造を実現する桁本体の端面図、正面図、底面図である。
【図１１】（Ａ）、（Ｂ）はそれぞれ図８の構造を実現する笠木の端面図、正面図である。
【図１２】本発明によるエクステリア構築物の他の実施の形態を示す正面図である。
【図１３】本発明によるエクステリア構築物の他の実施の形態を示す斜視図である。
【図１４】図１４の側面図である。
【図１５】図１３の平面図である。
【図１６】（Ａ）、（Ｂ）はそれぞれ図１３〜図１５の実施の形態で用いる梁の構造を示す端面図と平面図である。
【図１７】（Ａ）、（Ｂ）はそれぞれ図１３〜図１５の実施の形態で用いる取付金具を示す端面図、正面図である。
【図１８】図１６の梁と図１７の取付金具の組み合わせ構造を示す断面図である。
【図１９】本発明によるエクステリア構築物の他の実施の形態を示す斜視図である。
【図２０】図１９の平面図である。
【図２１】図２０のＦ−Ｆ断面図である。
【図２２】本発明のエクステリア構築物を用いた屋根の前枠の取付け例を示す側面図である。
【図２３】本実施の形態のエクステリア構築物への比較的軽量の部材の取付け例を示す断面図である。
【符号の説明】
【００５４】
１：縦桟、２：横桟、３：フレーム、４、５：木質系セメント板、６、８：ドリリングタッピンねじ、１０：エクステリア構築物、１１：桁、１２：取付金具、１３：桁本体、１４：笠木、１５、１７、２０、２１：ドリリングタッピンねじ、１９、２２：木質系セメント板、２５：照明灯、２６：介装部材、３０：家屋、３１：梁、３３：屋根、３４：前枠、３５、３７：取付金具、３９：ドリリングタッピンねじ、４０：桁、４１、４２：取付金具、４３、４４：桁素体、４５：位置決め枠、４６、４７：ドリリングタッピンねじ、４９：取付金具、５０：ドリリングタッピンねじ、５１：ナット板、５２：ねじ部品、５３：軽量の部材、５４：ドリリングタッピンねじ
【図１】
2005299244.tif 000003
【図２】
2005299244.tif 000004
【図３】
2005299244.tif 000005
【図４】
2005299244.tif 000006
【図５】
2005299244.tif 000007
【図６】
2005299244.tif 000008
【図７】
2005299244.tif 000009
【図８】
2005299244.tif 000010
【図９】
2005299244.tif 000011
【図１１】
2005299244.tif 000012
【図１０】
2005299244.tif 000013
【図１２】
2005299244.tif 000014
【図１３】
2005299244.tif 000015
【図１４】
2005299244.tif 000016
【図１５】
2005299244.tif 000017
【図１６】
2005299244.tif 000018
【図１７】
2005299244.tif 000019
【図１８】
2005299244.tif 000020
【図１９】
2005299244.tif 000021
【図２０】
2005299244.tif 000022
【図２１】
2005299244.tif 000023
【図２２】
2005299244.tif 000024
【図２３】
2005299244.tif 000025